(57)【要約】【課題】本発明では、タンクが引き出し式であっても、吸水フィルタからタンクへ水が滴下する耳障りな音を阻止することのできる冷風扇を提供することを目的とする。【解決手段】吸水フィルタ２２下方に備えられたタンク３５の内部へと先端側が突き出して上記吸水フィルタ２２から環流された水をタンク３５内へと導く導水部材４７を、上記タンク３５の上方へ枢着し、上記タンク３５を収容する収容部３６に対する該タンク３５の引き出し操作により、上記導水部材４７を上記タンク３５に当接させて上記タンク３５の上方へ押上げた状態に保持する保持手段４８，５２を、少なくとも上記導水部材４７との対向部位に設け、上記タンク３５の上記収容部３６から引き出し後の上記収容部３６内の空間に上記タンク３５の上記収容部３６に対する差し込み操作により上記タンク３５に当接可能に突き出して上記保持手段４８，５２による保持を解除する保持解除手段４７ｂを備えた冷風扇１１。【選択図】図２
2008138932.tif 000002
【特許請求の範囲】
【請求項１】
装置本体内にファンが備えられ、上記ファンにより空気を吸い込む吸込み口と、吸い込んだ空気を吹き出す吹出し口とを備え、上記吸込み口の流路に吸水フィルタを備え、ポンプにより上記吸水フィルタへ供給後の水を貯水するタンクを上記吸水フィルタの下方に備え、該タンクを引き出し可能に収容する収容部を備えた冷風扇であって、
先端側が上記タンクの内部へと突き出して上記吸水フィルタから環流された水をタンク内へと導く導水部材を、上記タンクの上方へ枢着し、
上記タンクの上記収容部に対する引き出し操作により、上記導水部材を上記タンクに当接させて上記タンクの上方へ押上げた状態に保持する保持手段を、少なくとも上記導水部材との対向部位に設け、
上記タンクの上記収容部から引き出した後の上記収容部内の空間に突き出して、上記タンクの差し込み操作により、上記保持手段が上記導水部材を保持した状態を解除する力点となる保持解除手段を備えた
冷風扇。
【請求項２】
上記タンクの引き出し操作により該タンクに当接して押上げられる上記導水部材の裏面側に、該導水部材を上記保持手段の側へと押し上げ補助する押上げ補助部を突設した
請求項１に記載の冷風扇。
【請求項３】
上記収容部に対する上記タンクの収容位置から最大引き出し位置の間におけるスライド方向のみをスライド許容するガイド手段を収容部に設け、
上記ガイド手段によってガイドされる被ガイド手段を上記タンクに設け、
上記タンクが上記最大引き出し位置に達するまでの引き出し方向における上記ガイド手段の中途部に、ガイド解除手段を設け、
上記収容部における目視可能な部位に、上記被ガイド手段がスライド方向における上記ガイド解除手段に位置したことを示す表示手段を設けた
請求項１、又は、請求項２に記載の冷風扇。
【請求項４】
上記ガイド手段を、上記収容部を係合する係合溝で構成し、
上記被ガイド手段を、上記係合溝に係合される被係合突部で構成し、
上記ガイド解除手段を、上記被係合突部の上記係合溝に対する係合を解除する係合解除溝で構成した
請求項３に記載の冷風扇。
【請求項５】
上記装置本体における上記タンクよりも上方部位に給水口を設け、
該給水口を通じて上記タンク内へ給水される水を上記装置本体の内側で受ける内側水受け部材と、外側で受ける外側水受け部材とを備え、
上記内側水受け部材は、上記給水口の下端縁部に固着し、
上記外側水受け部材は、起立、又は、上記装置本体の外側へ傾倒可能に上記内側水受け部材の上側位置に枢支した
請求項１から請求項４のうちいずれか１項に記載の冷風扇。
【発明の詳細な説明】
【技術分野】
【０００１】
この発明は、吸水フィルタに吸水された水の気化熱を利用して吸込み口から吸い込んだ空気を冷却して吹出し口から冷風を吹き出すような冷風扇に関する。
【背景技術】
【０００２】
冷風扇において吸水フィルタに吸水され、気化されなかった水は、通常、吸水フィルタの下方に設けられたタンクに滴下されることになる。  
この滴下する際に生じる音が継続するため、非常に耳障りであった。
【０００３】
このような課題に対して、下記特許文献１において「冷風扇の導水装置」が開示されている。
【０００４】
上記「冷風扇の導水装置」には、気化フィルター装置（吸水フィルタ）の下部の水受け部材から水タンク（タンク）内まで垂下する導水杆が設けられている。
【０００５】
これにより、上記気化フィルター装置から上記水受け部材に集まった水は、上記導水杆を伝わって水タンク内へと流れ落ちることになる。従って、水受け部材から水タンク内へと水が滴下しないため、耳障りな音が生じることを阻止することができる。
【０００６】
ところで、上述した特許文献１における冷風扇も含めてタンク内への水の補給は、冷風扇本体の外郭に外側へ傾倒可能に設けられた漏斗を通じて給水を行う構成のものが既に実用化されている。
【０００７】
しかし、このようにタンクが外郭に対して内側に格納された構成の場合、タンク内の清掃を行い難いという難点を有し、また、給水時に直接、タンクを用いて水を運ぶことができず、別途、持ち運び用の容器を備えておく必要があるといった難点を有する。
【０００８】
しかし、特許文献１における「冷風扇の導水装置」に水タンクを引き出し式で構成した場合、水タンク内まで垂下する導水杆が水タンクを外郭から引き出す際の支障となる。また、仮に水タンクを引き出せたとしても差し込む際に、外郭内側の水タンク差し込み空間において垂下している導水杆が邪魔になり差し込む際の支障となる。
【０００９】
このような難点により、引き出し式のタンクの構成に特許文献１に開示の導水杆をそのまま適用することができず、特許文献１における冷風扇の構成では、タンクが引き出し式であることによる上述したメリットを享受することができなかった。
【００１０】
【特許文献１】特開平０５−９３５２５号公報
【発明の開示】
【発明が解決しようとする課題】
【００１１】
そこで本発明では、吸水フィルタからタンクへ水が滴下する耳障りな音を阻止することのでき、しかもタンクが引き出し式であることによるメリットを享受することのできる冷風扇を提供することを目的とする。
【課題を解決するための手段】
【００１２】
本発明の冷風扇は、装置本体内にファンが備えられ、上記ファンにより空気を吸い込む吸込み口と、吸い込んだ空気を吹き出す吹出し口とを備え、上記吸込み口の流路に吸水フィルタを備え、ポンプにより上記吸水フィルタへ供給後の水を貯水するタンクを上記吸水フィルタの下方に備え、該タンクを引き出し可能に収容する収容部を備えた冷風扇であって、先端側が上記タンクの内部へと突き出して上記吸水フィルタから環流された水をタンク内へと導く導水部材を、上記タンクの上方へ枢着し、上記タンクの上記収容部に対する引き出し操作により、上記導水部材を上記タンクに当接させて上記タンクの上方へ押上げた状態に保持する保持手段を、少なくとも上記導水部材との対向部位に設け、上記タンクの上記収容部から引き出した後の上記収容部内の空間に突き出して、上記タンクの差し込み操作により、上記保持手段が上記導水部材を保持した状態を解除する力点となる保持解除手段を備えたことを特徴とする。
【００１３】
上記保持手段は、例えば、異なる極性の有する一対の磁石や、磁石（マグネット）と金属部材で構成することができる。さらに、係合部材（バックル）や、面ファスナなどを挙げることができる。
【００１４】
上記冷風扇は、上記タンクの引き出し操作により該タンクに当接して押上げられる上記導水部材の裏面側に、該導水部材を上記保持手段の側へと押し上げ補助する押上げ補助部を突設した構成であることが好ましい。
【００１５】
上記構成により、上記押上げ補助部は、タンクを収容部に対して引き出す際に積極的にタンクに当接して導水部材を確実に保持手段に保持させる位置にまで導水部材を押上げ補助することができる。ことができる。
【００１６】
さらに、上記冷風扇は、上記収容部に対する上記タンクの収容位置から最大引き出し位置の間におけるスライド方向のみをスライド許容するガイド手段を収容部に設け、上記ガイド手段によってガイドされる被ガイド手段を上記タンクに設け、上記タンクが上記最大引き出し位置に達するまでの引き出し方向における上記ガイド手段の中途部に、ガイド解除手段を設け、上記収容部における目視可能な部位に、上記被ガイド手段がスライド方向における上記ガイド解除手段に位置したことを示す表示手段を設けたことを特徴とする。
【００１７】
上記構成により、上記被ガイド手段は、上記ガイド手段によりガイドされているため、引き出し式のタンクを収容部に対して引き出しすぎて不用意にタンクが収容部から不用意に外れてしまうことがなく、例えば、タンク内に残留する水がこぼれてしまうといった事態を回避することができる。さらに、タンクを収容部から取り外す場合は、上記表示手段が表示する位置にまでタンクを引き出すことによって、上記被ガイド手段を上記ガイド解除手段に位置させてガイド手段による係合を解除することができる。このため、タンクを収容部から意図的に取り外す際には、容易に取り外すことができる。
【００１８】
上記ガイド手段は、上記収容部を係合する係合溝で構成し、上記被ガイド手段は、上記係合溝に係合される被係合突部で構成し、上記ガイド解除手段は、上記被係合突部の上記係合溝に対する係合を解除する係合解除溝で構成であることが好ましい。
【００１９】
このように構成すれば、上記ガイド手段、上記被ガイド手段、及び、上記ガイド解除手段を簡素な構造により構成することができる。
【００２０】
さらにまた、上記冷風扇は、上記装置本体における上記タンクよりも上方部位に給水口を設け、該給水口を通じて上記タンク内へ給水される水を上記装置本体の内側で受ける内側水受け部材と、外側で受ける外側水受け部材とを備え、上記内側水受け部材は、上記給水口の下端縁部に固着し、上記外側水受け部材は、起立、又は、上記装置本体の外側へ傾倒可能に上記内側水受け部材の上側位置に枢支したことを特徴とする。
【００２１】
上記構成により以下の作用を奏することができる。  
例えば、冷風扇使用の際に、装置本体に付着した結露が滴下して冷風扇の設置面が濡れてしまうことを防止するために、設置面に受け皿を設置し、その受け皿の上に冷風扇を設置して用いられることが多い。ところが、このような受け皿の存在により、タンクの引き出し操作が阻害されてしまう事態も生じるが、受け皿よりも上方に存在する給水口を通じて給水することにより、タンク内へスムーズに給水を行うことができる。
【００２２】
しかも、給水時には、外側水受け部材を上記装置本体の外側へ傾倒させるだけで、上記装置本体の内側に固着された上記内側水受け部材とともにタンク側へと連なった水受け部を構成できるため、タンク内へ確実に給水させることができる。給水しない通常時は、外側水受け部材を装置本体側へ起立させておけば、給水口を閉塞することができ、良好な外観形状を確保することができる。
【００２３】
従って、このような給水口を具備することにより、適宜、使用状況などに応じて引き出し式のタンク、或いは、給水口を用いて選択的に給水を行うことができ、給水の煩わしさを軽減することができる。
【発明の効果】
【００２４】
本発明の冷風扇は、導水部材をタンク内へ突出させて吸水フィルタ側からタンク内へ該導水部材を伝わせることにより、水が滴下して耳障りな音が生じることがなく快適に用いることができる。しかも、利用者は、タンク内に突き出した導水部材の存在を意識することなくスムーズに収容部に対してタンクを引き出し、或いは、差し込み操作を行うことができる。
【００２５】
従って、本発明の冷風扇は、導水部材を備えることと、タンクが引き出し式であることによる双方のメリットを兼ね備えた冷風扇を実現することができる。
【発明を実施するための最良の形態】
【００２６】
この発明の一実施形態を、以下図面を用いて説明する。  
図１、及び、図２に示すように、本実施形態における冷風扇１１の外郭には、筺体として縦長の装置本体１２を構成し、該装置本体１２の底面部には、合計４個の車輪としてのキャスタ１３を取り付けている。  
なお、図１、及び、図２は、それぞれ本実施形態の冷風扇１１の右斜め正面側から観た外観図、要部を示した中央縦断面図である。
【００２７】
装置本体１２の内部には、中央から上部にかけて送風手段として円筒状のファン１４、及び、駆動源としてのファンモータ１４ａが軸支されている。装置本体１２の背面部には、吸込み口１５が設けられ、前面部には、吹出し口１６が設けられている。
【００２８】
上記吸込み口１５には、図３に示すようにフィルタユニット１７が備えられている。このフィルタユニット１７は、吸込み口１５の内側から順に着脱可能に配設された吸水フィルタ２２、活性炭フィルタ２３、及び、防塵フィルタ２４（エアフィルタ）から構成される。  
なお、図３は、本実施形態の冷風扇１１の背面側から観た構成説明図である。
【００２９】
上記吸込み口１５の口縁部には、上記フィルタユニット１７の各フィルタを装着する凹状の嵌め込み凹部１５ａが設けられている。また、上記吸込み口１５には、上記吸水フィルタ２２を当接支持するための格子状のフィルタ当接部１５ｂが装置本体１２と一体に構成されている。
【００３０】
また、上記吹出し口１６には、フロントグリル２５が装着され、その前側には、固定ルーバー２６…が配設されるとともに、後側には、可動ルーバー２７…が配設されている。さらに、可動ルーバー２７を角度調節可能に可動させるレバー３２を備えている。
【００３１】
さらに、装置本体１２の上部における背面側には、吸水フィルタ２２へ供給する水を一時的に貯水しておく給水用一時貯水部３３を備えている。上記給水用一時貯水部３３の下部には、該給水用一時貯水部３３に貯水された水を所定量づつ吸水フィルタ２２側へ供給するための小孔３３ａ、或いは、スリット孔３３ａが適宜、設けられている。また、上記給水用一時貯水部３３の上方には、空気の冷却性能を向上させるべく氷や保冷剤などの冷却手段を収容可能に構成した氷収容部３４を背面部に対して引き出し可能に備えている。
【００３２】
一方、冷風扇１１の下部には、給水された水を貯水しておくタンク３５を備えている。さらに、タンク３５は、収容部３６に対して収容され、装置本体１２の前面部に対して引き出し可能に構成されている。
【００３３】
上記タンク３５の内部には、ポンプ３７をタンク３５に対して取り外しが可能に備えている。上記ポンプ３７と上記給水用一時貯水部３３との間は、チューブ３８が接続され、上記ポンプ３７と後述する制御部４４との間は、電気配線４２が接続されている。
【００３４】
これにより、タンク３５内の水は、該ポンプ３７により汲み上げられ、チューブ３８を通じて上記給水用一時貯水部３３へ供給される。
【００３５】
また、装置本体１２の上面部には、電源用、タイマー用、風量調節用などの複数のスイッチ４３が適宜、配設されている。さらに装置本体１２の上面部の下側には、これらスイッチ４３のＯＮ／ＯＦＦ操作によりファン１４、ポンプ３７の各駆動源を制御する制御回路が内蔵された制御部４４を構成している。
【００３６】
その他、装置本体１２の右側面部、及び、左側面部には、持ち運び用の凹状の把持部６６が備えられている。さらに、電源配線４５は、その一端が上記制御部４４へと接続され、他端側は、装置本体１２内に配された後、背面部の下側から外側へ引き出されている。
【００３７】
続いて、本実施形態における冷風扇１１の下部構成について図４から図６を用いてさらに詳説する。  
なお、図４は、本実施形態における冷風扇１１の下部の縦断面図、図５は、図４におけるＡ−Ａ断面矢視図、図６は本実施形態における冷風扇１１の底面図である。
【００３８】
上記吸水フィルタ２２の下部は、吸水フィルタ２２から環流してきた水を受ける環流水受け部４６が装置本体１２と一体に吸水フィルタ２２の下側に設けられている。
【００３９】
上記環流水受け部４６の水受け面は、タンク３５内へと確実に注ぎ込まれるようタンク３５へ向けて傾斜させた傾斜面を有して構成されている。
【００４０】
さらに、環流水受け部４６の下側には、該環流水受け部４６から直接、タンク３５内へ還流水が滴下しないよう導水部材４７がタンク３５内へと突き出して備えられている。
【００４１】
具体的に、装置本体１２の背面部における上記環流水受け部４６の下側で、且つ、タンク３５の上側に相当する部位には、導水部材取付けブラケット４９が固着されている。
【００４２】
上記導水部材４７は、その基部側が上記導水部材取付けブラケット４９に枢支されている。この導水部材取付けブラケット４９に対して上記導水部材４７を枢支した枢支部５０を回転中心として、上記導水部材４７は、タンク３５内へその先端側が斜め前方に垂下してタンク３５内へ導水可能な姿勢（導水姿勢）、或いは、略全体が略水平方向となりタンク３５に対して上方に退避した姿勢（退避姿勢）へと揺動自在に構成している。
【００４３】
導水部材４７は、導水部材本体４７ａと、該導水部材本体４７ａの基部側の底面から下方へ突設された突片部４７ｂを備えている。上記導水部材本体４７ａは、その先端部が基端部に対して幅小に突き出した形態となるよう中途部において幅を収縮させた形態の漏斗状に構成している。
【００４４】
さらに、導水部材本体４７ａは、その基部側の一方の側面に（図中正面視右側側面）には、耳部４７ｃが幅方向へ突設している。上記耳部４７ｃには、マグネット４８（磁性体）が設けられている。
【００４５】
さらにまた、上記導水部材本体４７ａの先端部側の裏面部には、導水部材４７が退避姿勢へと押し上げ補助する断面視円弧状の押上げ補助片４７ｄが設けられている。
【００４６】
一方、上記導水部材４７における上記突片部４７ｂは、その先端側がタンク３５側へ屈曲した縦断面視くの字形に形成し、導水部材本体４７ａに対して螺着され一体に構成している。
【００４７】
上述した記構成の導水部材４７は、タンク３５を収容部３６に収容時においては、自重により、導水姿勢に維持されている。
【００４８】
また、上記導水部材４７が退避姿勢（略水平）になるまで押し上げたとき、耳部４７ｃが対向する部分には、金属片５２が上記環流水受け部４６から突設されている。
【００４９】
一方、上記突片部４７ｂは、上記導水部材４７が退避姿勢のとき、収容部３６におけるタンク３５が存在していた空間に突き出した形態となる（図４中の仮想線で示した４７ｂ参照）。
【００５０】
また、上記押上げ補助片４７ｄは、上記導水部材４７が退避姿勢のとき、タンク３５内にまで突き出さないような上記導水部材４７裏面側からの突き出し量で形成されている（図４中の仮想線で示した４７ｄ参照）。
【００５１】
さらにまた、図４、図５、図６に示すように上記収容部３６の底面部における幅方向の中央部には、上記タンク３５をガイド可能なガイド用係合溝５３が形成されている。上記ガイド用係合溝５３は、タンク３５の引き出し方向（前後方向）について長い長孔形状で構成している。
【００５２】
これに対して、上記タンク３５の底面部の裏面側には、上記収容部３６のガイド用係合溝５３の縁部に係合してガイドされるガイド用被係合突部５４が下方へ突設されている。
【００５３】
上記ガイド用被係合突部５４、及び、上記ガイド用係合溝５３により、タンク３５は、収容部３６に収容した状態から最大限引き出した位置までの間、スライド自在に構成されている。
【００５４】
但し、上記ガイド用係合溝５３の長孔方向における所定の中途部には、上記ガイド用被係合突部５４の係合が解除されるよう上記ガイド用被係合突部５４よりも上記幅広に形成した係合解除溝５３ａが形成されている。
【００５５】
また、図７に示すようにタンク３５の収容部３６に対するガイド用被係合突部５４が係合解除溝５３ａに位置する引き出し量に対応するタンク３５側面部における装置本体１２の前面部に相当する位置には、その旨を利用者に視認可能に表示する表示手段として目印５５を形成している。  
なお、図７は、タンク３５を収容部３６に対してガイド用被係合突部５４が係合解除溝５３ａに位置するまで引き出した様子を示す説明図である。
【００５６】
なお、上記目印５５は、例えば、矢印などの記号、絵、文字などを挙げることができる。
【００５７】
また、収容部３６の底面部における幅方向の中央に対して両側には、収容部側レール５６が上方へ突設されている。これに対してタンク３５の底面部の裏面側における幅方向の中央に対して上記各収容部側レール５６に相当する部位には、タンク側レール５７が下方へ突設されている。
【００５８】
この上記収容部側レール５６、及び、上記タンク側レール５７は、ガイド用被係合突部５４、及び、上記ガイド用係合溝５３とともに上記タンク３５を上記収容部３６に対して幅方向に規制することができる。
【００５９】
また、図１に示したように装置本体１２におけるタンク３５上方の例えば左側面部には、該左側面部の一部をタンク３５内へと水を注ぎ込むために開口可能に図８に示すような給水口６２が構成されている。  
なお、図８（ａ）は、装置本体１２の左側面部内側から視た給水口６２近傍の正面図であり、図８（ｂ），（ｃ）は、図８（ａ）のＢ−Ｂ断面矢視図、図８（ａ）のＣ−Ｃ断面矢視図である。
【００６０】
上記装置本体１２の左側面部における上記給水口６２の下端部には、注ぎ込まれた水を受ける水受け部材６４，６５を備えている。上記水受け部材６４，６５は、上記左側面部に対して内側に備えられた内側水受け部材６４と、外側に備えられた外側水受け部材６５とで構成している。
【００６１】
上記内側水受け部材６４は、上記左側面部からタンク３５側へと斜め下方へ突き出した形態で、その基端部が給水口６２の下端縁部に取り付けられている。
【００６２】
これに対して外側水受け部材６５は、その基端部が内側水受け部材６４より上側に位置するよう内側水受け部材６４の基端部に枢支されている。これにより、外側水受け部材６５は、内側水受け部材６４に枢支された枢支部６３を中心として通常、外側水受け部材６５を、給水口６２を閉塞するよう起立した姿勢とすることができる。なお、外側水受け部材６５により給水口６２を閉塞したとき、外側水受け部材６５は、その周辺部位に対して略面一となるよう構成している（図１参照）。
【００６３】
さらに、タンク３５へ水を注ぐ際には、枢支部６３を回転中心として外側水受け部材６５を、この起立姿勢から側面部に対して外側へと傾倒させることができる（図８（ｂ）中の仮想線で示した６５参照）。
【００６４】
このように、外側水受け部材６５を側面部に対して外側へ傾倒させたとき、給水口６２が開口するとともに、外側水受け部材６５と内側水受け部材６４との各受け面が略同じ傾斜角で滑らかに連なるよう構成している。
【００６５】
なお、上述した給水口６２、内側水受け部材６４、及び、外側水受け部材６５は、装置本体１２の右側面部側に設けてもよいが、ファン外周における装置本体１２の左側面部側には、ファン１４内の空気を吹出し口１６側へと案内するファンカバー（図示せず）が設けられ、該ファンカバーにより給水口６２を通じて給水した水がファン内へと流れ込んだり飛散したりすることを防ぐことができる。このため、殊に装置本体１２の左側面部側、すなわち、ファン１４外周におけるファンカバーを具備した側に、これらを構成することが好ましい。
【００６６】
上述したように構成した冷風扇１１の作用、効果を以下に詳述する。  
冷風送風用のスイッチ４３をＯＮにすると、ファン１４、及び、ポンプ３７の各駆動源が駆動され、ファン１４及びポンプ３７が駆動する。ポンプ３７により水がタンク３５から給水用一時貯水部３３に供給される。そして、給水用一時貯水部３３から吸水フィルタ２２へと水が供給される。水は、吸水フィルタ２２全体を伝いながら流下していく。
【００６７】
吸込み口１５より吸い込まれる空気は、防塵フィルタ２４を通過する際に、ゴミなどが除去され、さらに、水が供給された吸水フィルタ２２を通過する際に、気化熱を利用して冷却される。これにより、吹出し口１６から冷風を吹き出すことができる。
【００６８】
そして、上述した吸水フィルタ２２を流下して気化せずに残余した水は、タンク３５内へと環流する。  
このとき吸水フィルタ２２から流下する水は、直接、タンク３５内へ流れ込まず、まず、吸水フィルタ２２下端部に設置された環流水受け部４６に流れ落ち、さらに、そのすぐ真下で導水部材４７が受けた水は、該導水部材４７を伝ってタンク３５内へと流れ込む。このため、吸水フィルタ２２から環流してきた水が、環流水受け部４６からタンク３５内へ直接、滴下する際に生じる耳障りな音を防ぐことができる。
【００６９】
続いて、タンク３５を収容部３６に対して最大限の引き出し位置付近まで引き出してタンク３５内に水を供給する手順について図９を用いて説明する。  
なお、図９（ａ），（ｂ）は、いずれも本実施形態の冷風扇１１の下部を中央縦断面で示した作用説明図であり、図９（ａ）は、収容部３６に対してタンク３５を引き出す過程を示した説明図であり、図９（ｂ）は、最大引き出し位置まで引き出した様子を示す説明図である。
【００７０】
まず、図９（ａ）に示したようにタンク３５を収容部３６から引き出ていくと、タンク３５の背面部３５ａがタンク３５内へと突き出した導水部材本体４７ａの裏面側に当接する。さらに、タンク３５を収容部３６から引き出すに従って、導水部材４７は、タンク３５の背面部によって徐々に押し上げられていく（図中矢印参照）。
【００７１】
このように、タンク３５収容時において導水部材４７は、タンク３５内で突き出していても、タンク３５上方で枢着しているため、タンク３５を引き出す際に導水部材４７が邪魔になることがない。
【００７２】
また、図９（ｂ）に示したように、タンク３５は、ガイド用係合溝５３がガイド用被係合突部５４に係合することにより、ガイドされているため、収容部３６に対して引き出しすぎて不用意にタンク３５が外れてしまうことがなく例えば、タンク３５内に残留する水がこぼれてしまうといった事態を防ぐことができる。
【００７３】
続いて、タンク３５を収容部３６から取り外す際の手順について図１０（ａ），（ｂ）、及び、図１１を用いて説明する。  
なお、図１０（ａ），（ｂ）は、いずれも本実施形態の冷風扇１１の下部を中央縦断面で示した作用説明図であり、収容部３６に対してタンク３５を取り外す過程を示す説明図である。さらに図１１は、収容部３６からタンク３５を取り出した状態における図５に対応する説明図である。
【００７４】
まず、タンク３５と収容部３６との間に手を差し込める程度の隙間ができる程度の任意の位置にまでタンク３５を収容部３６から引き出し、該間隙部に手を差し込んでポンプ３７をタンク３５から取り外しておく（図示せず）。
【００７５】
さらに、上述した図７、及び、図１０（ａ）に示したように、タンク３５を収容部３６に対して、タンク３５側面部に形成した上記目印５５が装置本体１２の前側面部に達するまで引き出す。このとき、ガイド用被係合突部５４がガイド用係合溝５３のスライド方向における係合解除溝５３ａに位置していることになる（図１０（ａ）中の５４，５３ａ参照）。
【００７６】
このため、利用者は、タンク３５を軽く持ち上げるだけで係合解除溝５３ａを通じて容易にガイド用被係合突部５４とガイド用係合溝５３との係合を解除することができる。そして図１０（ｂ）に示したように、利用者は、タンク３５を収容部３６から引き出すことにより収容部３６に対して容易に取り外すことができる。
【００７７】
このとき、上述したようにタンク３５を収容部３６から引き出す際に導水部材４７は、タンク３５の背面部により押し上げられる。
【００７８】
殊に、導水部材４７の裏面部には、上記押上げ補助片４７ｄを形成している。これにより、タンク３５を収容部３６から引き出す過程において確実に水平姿勢にまで押し上げることができる（図１０（ｂ）、図１１参照）。そして、マグネット４８と金属片５２とが固着し、導水部材４７は、退避姿勢に維持された状態に保持されることができる。
【００７９】
続いて上記収容部３６から取り外したタンク３５を収容部３６に差し込む際の手順について図１２（ａ），（ｂ），（ｃ）を用いて説明する。  
なお、図１２（ａ），（ｂ），（ｃ）は、いずれも本実施形態の冷風扇１１の下部を中央縦断面で示した作用説明図であり、収容部３６に対してタンク３５を差し込む過程を示す説明図である。
【００８０】
まず、タンク３５を収容部３６に差し込んだとき、収容部側レール５６とタンク側レール５７とがタンク３５が収容部３６内において幅方向に位置ズレしないよう互いに係合される。このため、タンク３５を収容部３６にスムーズに差し込むことができる。
【００８１】
図１２（ｂ）に示したように、タンク３５を収容部３６に対してガイド用被係合突部５４が収容部３６の係合解除溝５３ａに達するまで差し込んだとき、ガイド用被係合突部５４は、タンク３５の自重により係合解除溝５３ａの下方に落下し、スムーズにガイド用係合溝５３に係合される。
【００８２】
ここでタンク３５を収容部３６に差し込む際には、導水部材４７が退避姿勢となっており、このとき導水部材４７の突片部４７ｂは、収容部３６におけるタンク３５が収容されていた空間に突き出している。このため、タンク３５を差し込むことにより、タンク３５の背面部３５ａが突片部４７ｂに当接し、導水部材４７は、該突片部４７ｂを力点とし、枢支部５０を回動中心として、マグネット４８と金属片５２とが密着した状態が解除される方向、すなわち、時計回りに回動していく。
【００８３】
上述した一連の収容部３６に対するタンク３５の差し込み動作によって、タンク３５を収容部３６に完全に収容したとき、導水部材４７は、もと導水姿勢に復帰する。
【００８４】
以上により本実施形態の冷風扇１１は、タンク３５を収容部３６に差し込んだ状態においては、導水部材４７が導水姿勢となり、確実に、環流してきた水をタンク３５内へ導水することができる。さらに、収容部３６からタンク３５を引き出す際には、導水部材４７は退避姿勢となり、その後の差し込み操作の邪魔になることがない。
【００８５】
従って、本実施形態の冷風扇１１は、導水部材４７により環流水がタンク３５内へ滴下する際に生じる音を防ぐことができ、上述したようにタンク３５を引き出して給水する手段により、タンク３５を収容部３６から取り外してタンク３５内に直接、水を汲むことができる、或いは、タンク３５内を洗浄し易いといったタンク３５が引き出し式であることによる効果も奏することができる。
【００８６】
最後に上述したようにタンク３５を収容部３６から引き出す手段とは、別に、タンク３５内へ直接、水を注ぎ込む他の給水手段について図１３を用いて説明する。  
なお、図１３（ａ）は、外側水受け部材６５を外側へ傾倒させたときの図８（ａ）に対応する正面図であり、図１３（ｂ）は、図１３（ａ）のＤ−Ｄ断面矢視図である。
【００８７】
この装置本体１２の左側面部に形成した給水口６２を通じて給水する際には、図１３（ａ），（ｂ）に示すように外側水受け部材６５を左側面部に対して外側へ傾倒させるだけでよい。これにより、供給された水は、まず、外側水受け部材６５により外側で受けられ、さらに、該外側水受け部材６５と連なった状態で装置本体１２の内側で固定されている内側水受け部材６４へと伝って、確実にタンク３５内へと注ぎ込むことができる。
【００８８】
また、給水口６２を外側水受け部材６５により閉塞した時は、外側水受け部材６５とその周縁部とは、略面一になるため（図１参照）、凹凸のない見栄えのよい外観に保つことができる。
【００８９】
このようにタンク３５を引き出して水を供給する手段とは別に、給水口６２、内側水受け部材６４、及び、外側水受け部材６５を備えて給水可能に構成することにより、例えば、装置本体１２表面に対して結露により水滴が付着して床面に滴下しないよう受け皿を介して冷風扇１１を設置した場合においての給水を容易に行うことができる。  
これは、タンク３５を収容部３６から引き出す際に受け皿が邪魔になることがなく、給水の度にいちいち冷風扇１１を移動するといった手間を要することがないためである。
【００９０】
このように利用者は、適宜、冷風扇１１の使用状況に応じてタンク３５を引き出して給水するか、或いは、側面部の給水口６２を通じて給水するかの選択をすることができ、従来より煩わしかった給水の手間を軽減することができる。
【００９１】
また、上述の実施形態と、この発明の構成との対応において、この実施形態のマグネット４８、及び、金属片５２は、この発明の保持手段に対応し、以下同様に、
突片部４７ｂは、保持解除手段に対応し、
押上げ補助片４７ｄは、押上げ補助部に対応し、
目印５５は、表示手段に対応し、
ガイド用係合溝５３は、係合溝に対応し、
ガイド用被係合突部５４は、被係合突部に対応し、
導水部材を保持した状態は、導水部材が退避姿勢の状態に対応するも、
この発明は、上述の実施形態の構成のみに限定されるものではなく、上述したように多くの実施の形態を得ることができる。
【図面の簡単な説明】
【００９２】
【図１】本実施形態における冷風扇の外観図。
【図２】本実施形態における冷風扇の中央縦断面図。
【図３】本実施形態における冷風扇の背面側からみた説明図。
【図４】本実施形態における冷風扇の下部の中央縦断面図。
【図５】図４におけるＡ−Ａ断面矢視図。
【図６】本実施形態における冷風扇の底面図。
【図７】本実施形態における冷風扇のタンクを引き出した様子を示す説明図。
【図８】本実施形態における冷風扇の給水口、及び、その近傍の構成説明図。
【図９】本実施形態における冷風扇の作用説明図。
【図１０】本実施形態における冷風扇の作用説明図。
【図１１】本実施形態における冷風扇のタンクを取り外した構成説明図。
【図１２】本実施形態における冷風扇の作用説明図。
【図１３】本実施形態における冷風扇の給水口、及び、その近傍の作用説明図。
【符号の説明】
【００９３】
１１…冷風扇
１２…装置本体
１４…ファン
１５…吸込み口
１６…吹出し口
２２…吸水フィルタ
３５…タンク
３６…収容部
４７…導水部材
４７ｂ…突片部
４８…マグネット
４７ｄ…押上げ補助片
５０…枢支部
５２…金属片
５３…ガイド用係合溝
５４…ガイド用被係合突部
５３ａ…係合解除溝
５５…目印
６２…給水口
６４…内側水受け部材
６５…外側水受け部材
【図１】
2008138932.tif 000003
【図２】
2008138932.tif 000004
【図３】
2008138932.tif 000005
【図４】
2008138932.tif 000006
【図５】
2008138932.tif 000007
【図６】
2008138932.tif 000008
【図７】
2008138932.tif 000009
【図８】
2008138932.tif 000010
【図９】
2008138932.tif 000011
【図１０】
2008138932.tif 000012
【図１１】
2008138932.tif 000013
【図１２】
2008138932.tif 000014
【図１３】
2008138932.tif 000015